(57)【特許請求の範囲】
【請求項１】
室外機内に配置される室外空調部と室内機内に配置される室内空調部とを制御して冷媒回路内を循環する冷媒と導入される空気との間で熱交換を行って調整空気を室内に供給する空気調和機であって、
前記室外空調部を制御する室外ユニット制御手段と、
前記室外空調部の運転状態に関する室外運転情報を格納する室外状態情報格納手段と、
前記室内空調部を制御する室内ユニット制御部と、
前記室内空調部の運転状態に関する室内運転情報を格納する室内状態情報格納手段と、
前記室外ユニット制御部と室内ユニット制御部との間で通信を行うための通信ラインと、
前記室内空調部に設けられ、電源から供給される供給電力を受ける電源接続部と、
前記電源接続部を介して入力される供給電力に基づいて前記室外空調部に給電するための給電ラインと、
所定の給電停止条件を満たす場合に、前記室外状態情報格納手段に格納された室外運転情報を前記室外ユニット制御部から前記室内ユニット制御部に送信させ前記室内状態情報格納手段に格納した後、前記給電ラインによる室外空調部への給電を停止する給電停止手段と、
を備える空気調和機。
【請求項２】
所定の給電復帰条件を満たす場合に、前記給電ラインによる室外空調部への給電を復帰するとともに、前記室内状態情報格納手段に格納された室外運転情報を前記室内ユニット制御部から前記室外ユニット制御部に送信させ前記室外状態情報格納手段に格納させる給電復帰手段をさらに備える、請求項１に記載の空気調和機。
【請求項３】
室外機内に配置される室外空調部と協働する室内空調部を備え、前記室外空調部と室内空調部とを制御して冷媒回路内を循環する冷媒と導入される空気との間で熱交換を行って調整空気を室内に供給する空気調和機の室内機であって、
前記室内空調部を制御する室内ユニット制御部と、
前記室内空調部の運転状態に関する室内運転情報を格納する室内状態情報格納手段と、
通信ラインを介して前記室外空調部を制御する室外ユニット制御部との間で通信を行うための通信インターフェイスと、
電源から供給される供給電力を受ける電源接続部と、
前記電源接続部を介して入力される供給電力に基づいて前記室外空調部に給電するための給電部と、
所定の給電停止条件を満たす場合に、前記室外ユニット制御部により管理する室外運転情報を前記室内ユニット制御部に送信させ前記室内状態情報格納手段に格納した後、前記給電部からの室外空調部への給電を停止する給電停止手段と、を備える空気調和機の室内機。
【請求項４】
所定の給電復帰条件を満たす場合に、前記給電部からの室外空調部への給電を復帰するとともに、前記室内状態情報格納手段に格納された室外運転情報を前記室内ユニット制御部から前記室外ユニット制御部に送信させる給電復帰手段をさらに備える、請求項３に記載の空気調和機の室内機。
【請求項５】
室内機内に配置される室内空調部と協働する室外空調部を備え、前記室外空調部と室内空調部とを制御して冷媒回路内を循環する冷媒と導入される空気との間で熱交換を行って調整空気を室内に供給する空気調和機の室外機であって、
前記室外空調部を制御する室外ユニット制御部と、
前記室外空調部の運転状態に関する室外運転情報を格納する室外状態情報格納手段と、
通信ラインを介して前記室内空調部を制御する室内ユニット制御部との間で通信を行うための通信インターフェイスと、
前記室内機側から電力供給を受ける受電部と、
室外機側から電力供給を停止する旨の情報を受信した場合に、前記室外状態情報格納部に格納された室外運転情報を前記室内ユニット制御部に送信する状態情報送信手段と、
を備える空気調和機の室外機。
【請求項６】
室内機側からの電力供給が復帰した場合に、室内ユニット制御部から給電停止直前の室外運転情報を受信し、前記室外状態情報格納部に格納する状態情報受信手段をさらに備える、請求項５に記載の空気調和機の室外機。
【発明の詳細な説明】
【０００１】
【発明の属する技術分野】
本発明は、空気調和機、特に、室外機内に配置される室外空調部と室内機内に配置される室内空調部とを制御して冷媒回路内を循環する冷媒と導入される空気との間で熱交換を行って調整空気を室内に供給する空気調和機およびその室内機に関する。
【０００２】
【従来の技術】
セパレート型の空気調和機では、室外機内に配置される室外熱交換器と、室内機内に配置される室内熱交換器とが冷媒配管で接続され、各熱交換器が冷媒の凝縮器および蒸発器として作用するように制御することにより冷房運転または暖房運転を行うように構成されている。
【０００３】
室外機内には、冷媒回路内の冷媒循環量を制御するための圧縮機、冷暖房の運転切換のための四路切換弁、電動膨張弁などで構成される圧力調整機構、空気流を生成するための室外ファン、室外ファンを駆動するための室外ファンモータなどを含む室外空調部が配置されており、室外ファンによって外気を導入し、室外熱交換器の内部を通過する冷媒と空気との間で熱交換を行う。
【０００４】
同様に、室内機にも室内機ケーシング内部に空気流を生成する室内ファンが配置されており、この室内ファンによって室内空気を吸い込んで、室内熱交換器の内部を通過する冷媒と空気との間で熱交換を行う。
室外機には、室外空調部の各部を制御するために、ＣＰＵ、ＲＯＭ、ＲＡＭ、各種インターフェイスなどを含むマイクロプロセッサ（マイコン）で構成される室外ユニット制御部を備えている。室内機には、リモコンからの指示信号を受信し、室外ユニット制御部に空調指令信号を送信するとともに室内空調部を制御するために、ＣＰＵ、ＲＯＭ、ＲＡＭ、各種インターフェイスなどを含むマイクロプロセッサ（マイコン）で構成される室内ユニット制御部を備えている。室外ユニット制御部と室内ユニット制御部との間で各種信号の送受信を行うための通信ラインが室外機と室内機との間に設けられている。
【０００５】
また、室内機には商用電源に接続されるプラグを備えた電源ケーブルが設けられており、この電源ケーブルを介して電力供給がなされる。室内機から室外機に商用電源に基づく電源供給する給電ラインが設けられており、この給電ラインを介して室外空調部への給電が行われる。この給電ラインによる電源供給を遮断するためのメインリレーが室内機側に設けられている。
【０００６】
【発明が解決しようとする課題】
前述したような空気調和機では、室外機になんらかの異常が発生した場合に、メインリレーを遮断することにより室外機への給電を停止する保護機能を備えている。また、非運転状態における待機電力を削減するために、メインリレーを遮断して室外機への給電を停止することが考えられる。
【０００７】
室外機側では、運転状態に関する各種パラメータや異常来歴情報などの室外運転情報をマイコンのＲＡＭ上に保持し、これらの室外運転情報に基づいて各部の制御を行っている。このため、室内機側でメインリレーを遮断して室外機への給電を停止した場合、室外ユニット制御部のＲＡＭ上に保持されていた異常来歴カウンタや学習結果などの室外運転情報が消失してリセットされてしまい、運転を再開した際に給電停止直前の運転状態を再現することができないという問題がある。
【０００８】
室外ユニット制御部にＥＥＰＲＯＭなどの不揮発性メモリを設けておき、給電停止直前にＲＡＭに保持している室外運転情報を不揮発性メモリに格納することが考えられる。この場合、ＥＥＰＲＯＭなどの不揮発性メモリなどの高価な部品を必要とし、製品のコスト低減が困難となる。
本発明では、コストアップを招くことなく室外機への給電を停止する直前の運転状態に関する情報を給電再開時に復帰させることを可能とし、給電停止直前の運転状態を再現することが可能な空気調和機を提案する。
【０００９】
【課題を解決するための手段】
本発明の請求項１に係る空気調和機は、室外機内に配置される室外空調部と室内機内に配置される室内空調部とを制御して冷媒回路内を循環する冷媒と導入される空気との間で熱交換を行って調整空気を室内に供給する空気調和機であって、室外空調部を制御する室外ユニット制御手段と、室外空調部の運転状態に関する室外運転情報を格納する室外状態情報格納手段と、室内空調部を制御する室内ユニット制御部と、室内空調部の運転状態に関する室内運転情報を格納する室内状態情報格納手段と、室外ユニット制御部と室内ユニット制御部との間で通信を行うための通信ラインと、室内空調部に設けられ、電源から供給される供給電力を受ける電源接続部と、電源接続部を介して入力される供給電力に基づいて室外空調部に給電するための給電ラインと、所定の給電停止条件を満たす場合に、室外状態情報格納手段に格納された室外運転情報を室外ユニット制御部から室内ユニット制御部に送信させ室内状態情報格納手段に格納した後、給電ラインによる室外空調部への給電を停止する給電停止手段とを備える。
【００１０】
この場合、待機電力削減のための給電停止を行う場合や室外空調部の異常発生に伴って室外機への給電停止を行う場合に、室外状態情報格納手段に保持している給電停止直前の室外運転情報を室内情報格納手段に格納して、室外運転情報が消失することを防止できる。
本発明の請求項２に係る空気調和機は請求項１に記載の空気調和機であって、所定の給電復帰条件を満たす場合に、給電ラインによる室外空調部への給電を復帰するとともに、室内状態情報格納手段に格納された室外運転情報を室内ユニット制御部から室外ユニット制御部に送信させ室外状態情報格納手段に格納させる給電復帰手段をさらに備えている。
【００１１】
この場合、給電復帰時に室内状態情報格納手段に格納された給電停止直前の室外運転情報を用いて、給電停止直前の運転状態を再現することが可能となる。
本発明の請求項３に係る空気調和機の室内機は、室外機内に配置される室外空調部と協働する室内空調部を備え、室外空調部と室内空調部とを制御して冷媒回路内を循環する冷媒と導入される空気との間で熱交換を行って調整空気を室内に供給する空気調和機の室内機であって、室内空調部を制御する室内ユニット制御部と、室内空調部の運転状態に関する室内運転情報を格納する室内状態情報格納手段と、通信ラインを介して室外空調部を制御する室外ユニット制御部との間で通信を行うための通信インターフェイスと、電源から供給される供給電力を受ける電源接続部と、電源接続部を介して入力される供給電力に基づいて室外空調部に給電するための給電部と、所定の給電停止条件を満たす場合に、室外ユニット制御部により管理する室外運転情報を室内ユニット制御部に送信させ室内状態情報格納手段に格納した後、給電部からの室外空調部への給電を停止する給電停止手段とを備えている。
【００１２】
この場合、待機電力削減のための給電停止を行う場合や室外空調部の異常発生に伴って室外機への給電停止を行う場合に、給電停止直前の室外運転情報を室内情報格納手段に格納して、室外運転情報が消失することを防止できる。
本発明の請求項４に係る空気調和機の室内機は請求項３に記載の空気調和機の室内機であって、所定の給電復帰条件を満たす場合に、給電部からの室外空調部への給電を復帰するとともに、室内状態情報格納手段に格納された室外運転情報を室内ユニット制御部から室外ユニット制御部に送信させる給電復帰手段をさらに備えている。
【００１３】
この場合、給電復帰時に室内状態情報格納手段に格納された給電停止直前の室外運転情報を室外機に送信し、給電停止直前の運転状態を再現することが可能となる。
本発明の請求項５に係る空気調和機の室外機は、室内機内に配置される室内空調部と協働する室外空調部を備え、室外空調部と室内空調部とを制御して冷媒回路内を循環する冷媒と導入される空気との間で熱交換を行って調整空気を室内に供給する空気調和機の室外機であって、室外空調部を制御する室外ユニット制御部と、室外空調部の運転状態に関する室外運転情報を格納する室外状態情報格納手段と、通信ラインを介して室内空調部を制御する室内ユニット制御部との間で通信を行うための通信インターフェイスと、室内機側から電力供給を受ける受電部と、室外機側から電力供給を停止する旨の情報を受信した場合に、室外状態情報格納部に格納された室外運転情報を室内ユニット制御部に送信する状態情報送信手段とを備える。
【００１４】
この場合、待機電力削減や室外空調部の異常発生などがあった場合に、給電停止直前の室外運転情報を室内機側に送信することにより、室外運転情報を保存することができる。
本発明の請求項６に係る空気調和機の室外機は請求項５に記載の空気調和機の室外機であって、室内機側からの電力供給が復帰した場合に、室内ユニット制御部から給電停止直前の室外運転情報を受信し、室外状態情報格納部に格納する状態情報受信手段をさらに備えている。
【００１５】
この場合、給電復帰時に給電停止直前の室外運転情報を室内機から受信して、給電停止直前の運転状態を再現することが可能となる。
【００１６】
【発明の実施の形態】
〔空気調和機の外観構成〕
本発明の１実施形態が採用される空気調和機の外観構成を図１に示す。
この空気調和機１は、室内の壁面などに取り付けられる室内機２と、室外に設置される室外機３と備えている。
【００１７】
室内機２内には室内熱交換器が収納され、室外機３内には室外熱交換器が収納されており、各熱交換器が冷媒配管４により接続されることにより冷媒回路を構成している。
〔冷媒回路の概略構成〕
空気調和機１で用いられる冷媒回路の一例を、図２に示す。
【００１８】
室内機２内には、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
また、室内機２内には、室内空気を吸い込んで室内熱交換器１１との間で熱交換を行った後の空気を室内に排出するためのクロスフローファン１２が設けられている。クロスフローファン１２は、円筒形状に構成され、周面には回転軸方向に羽根が設けられているものであり、回転軸と交わる方向に空気流を生成する。このクロスフローファン１２は、室内機２内に設けられるファンモータ１３によって回転駆動される。
【００１９】
室外機３には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続され圧力調整を行う電動弁２５とが設けられている。電動弁２５は、フィルタ２６および液閉鎖弁２７を介して現地配管３１に接続されており、この現地配管３１を介して室内熱交換器１１の一端と接続される。また、四路切換弁２２は、ガス閉鎖弁２８を介して現地配管３２に接続されており、この現地配管３２を介して室内熱交換器１１の他端と接続されている。この現地配管３１，３２は図１の冷媒配管４に相当する。
【００２０】
室外機３には、室外熱交換器２４での熱交換後の空気を外部に排出するためのプロペラファン２９が設けられている。このプロペラファン２９は、ファンモータ３０によって回転駆動される。
〔電気配線図〕
室内機２および室外機３の電気配線図の概略を図３に示す。
【００２１】
室内機２は電源ポート１８，１９および通信ポート２０を備えており、室外機３は電源ポート４１，４２および通信ポート４３を備えている。室内機２の電源ポート１８，１９と室外機３の電源ポート４１，４２はそれぞれ給電ライン５１，５２によって接続されており、室内機２の通信ポート２０と室外機３の通信ポート４３は通信ライン５３によって接続されている。
【００２２】
室内機２は、商用電源に接続されるプラグ１７を備える電源ケーブルを備えており、この電源ケーブルを介して電力供給される。電源ケーブルからの供給電力は、室内ユニット制御部などの回路部品を搭載するプリント基板１５に入力される。プリント基板１５には、ＣＰＵ、ＲＯＭ、ＲＡＭ、各種インターフェイスなどを含む室内ユニット制御部が構成されており、ファンモータ１２を駆動するためのファンモータ駆動部や風向調整用ルーバを動かすスイングモータの駆動部などが構成されている。ファンモータ１３およびスイングモータ１４がそれぞれプリント基板１５の対応位置に接続されている。
【００２３】
また、室内機２内の電源ラインには、電源ポート１８，１９への給電を遮断するためのメインリレー１６が設けられている。このメインリレー１６を遮断することによって室外機３への給電を停止することが可能となっている。
室外機３には、電源ポート４１，４２および通信ポート４３と接続されるプリント基板４４が配置されている。このプリント基板４４には、ＣＰＵ、ＲＯＭ、ＲＡＭ、各種インターフェイスなどを含む室外ユニット制御部が構成されており、ファンモータ３０を駆動するファンモータ駆動部、四路切換弁２２を駆動する四路切換弁駆動部、電動弁２５を駆動する電動弁駆動部などを備えている。ファンモータ３０、四路切換弁２２および電動弁２５がそれぞれプリント基板４４の対応位置に接続されている。
【００２４】
また、プリント基板４４上には電源ポート４１，４２から供給される電源電圧を整流する整流部４５および空調指令に基づいて圧縮機２１を駆動するインバータ回路４６などが構成されている。インバータ回路４６の出力は圧縮機２１に入力されている。
〔制御ブロック図〕
室内機２および室外機３の制御ブロック図を図４に示す。
【００２５】
室外機３は、マイクロプロセッサ３０２、ＲＯＭ３０３、ＲＡＭ３０４、通信インターフェイス３０５などを含む室外ユニット制御部３０１を備えている。
室外ユニット制御部３０１は、吐出側圧力保護スイッチ、吐出管サーミスタ、吸入側圧力センサ、外気サーミスタ、室外熱交サーミスタなどの各種センサ類３１５が接続されており、各センサの検出信号が入力される。
【００２６】
また、室外ユニット制御部３０１は、圧縮機２１を駆動するための圧縮機駆動部３１１、四路切換弁２２を駆動するための四路切換弁駆動部３１２、電動弁２５を駆動する電動弁駆動部３１３、室外ファンモータ３０を駆動する室外ファンモータ駆動部３１４などと接続されており、各部を制御するための制御信号を生成する。
【００２７】
室内機２は、マイクロプロセッサ２０２、ＲＯＭ２０３、ＲＡＭ２０４、通信インターフェイス２０５などを含む室内ユニット制御部２０１を備えている。
室内ユニット制御部２０１は、液管サーミスタ、ガス管サーミスタ、室内熱交サーミスタ、室温センサ、湿度センサなどの各種センサ類２１５が接続されており、各センサの検出信号が入力される。
【００２８】
また、室内ユニット制御部２０１は、室内ファンモータ１３を駆動する室内ファンモータ駆動部２１１、水平羽根や垂直羽根などを作動させるためのスイングモータを駆動するためのスイングモータ駆動部２１２、表示部２１３、赤外線送受信部２１４などに接続されており、各部に対して制御信号を供給することによって運転中の各部の制御を行うように構成されている。
【００２９】
さらに、室内ユニット制御部２０１は、メインリレー１６のオン・オフ制御を行うためのメインリレー作動部２１６と接続されている。
〔給電停止制御〕
〈室内機〉
給電停止制御を行う場合の室内ユニット制御部２０１の動作を図５のフローチャートに示す。
【００３０】
ステップＳ１１では、所定の給電停止条件に到達したか否かを判別する。たとえば、空調運転停止から一定時間が経過して待機電力削減モードに移行すると判断した場合には所定の給電停止条件に到達したと判断してステップＳ１２に移行する。また、通常動作モードにおいて、室外ユニット制御部２０１から異常が発生した旨の情報を受信した場合に、給電停止が必要であるか否かを判断し、給電停止が必要であると判断した場合にステップＳ１２に移行する。
【００３１】
ステップＳ１２では、室外ユニット制御部３０１に対して給電停止を行う旨の信号を送信する。
ステップＳ１３では、室外機３の運転状態情報を取得する。ここでは、室外ユニット制御部３０１に対してＲＡＭ３０４内に保持している室外運転情報を送信するように要求信号を送信し、送信されてくる室外運転情報を受信する。室外運転情報は、現在の室外機３の運転状態に関する情報であり、たとえば、過去に発生した異常の回数や異常のレベル、学習内容などの情報が想定される。
【００３２】
ステップＳ１４では、取得した室外機３の運転状態情報を記憶手段に格納する。ここでは、ＲＡＭ２０４の所定領域に室外運転情報を格納する。室内ユニット制御部２０１にＥＥＰＲＯＭなどの不揮発性メモリを備えている場合には、この不揮発性メモリに室外運転情報を格納するように構成でき、また、磁気ディスクやフラッシュメモリのドライブを備える場合にはこれらの記録媒体に室外運転情報を格納するように構成することも可能である。
【００３３】
ステップＳ１５では、室外機３への給電停止処理を行う。ここでは、メインリレー作動部２１６を介してメインリレー１６をオフ状態とし、室外機３への給電停止を行う。
ステップＳ１６では、給電停止中の室外機３に対して給電を復帰するための条件に到達したか否かを判別する。待機電力削減モードにおいてユーザからの指示またはタイマーの設定により運転を再開する場合、室外機３の異常に対する復旧処理が完了した場合にはステップＳ１７に移行する。
【００３４】
ステップＳ１７では、給電停止状態の室外機３に対する給電を再開する。ここでは、メインリレー作動部２１６を介してメインリレー１６をオン状態とし、室外機３への給電復帰を行う。
ステップＳ１８では、記憶手段に格納されている給電停止直前の室外運転情報を室外機３に送信する。ＲＡＭ２０４の所定の領域に格納されている給電停止直前の室外運転情報を読み出して、室外ユニット制御部３０１に送信する。磁気ディスクやフラッシュメモリなどの記録媒体に室外運転情報を格納している場合には、それぞれの記録媒体から給電停止直前の室外運転情報を読み出して室外ユニット制御部３０１に送信する。
【００３５】
ステップＳ１９では、通常運転を再開する。
〈室外機〉
給電停止制御を行う場合の室外ユニット制御部３０１の動作を図６および図７のフローチャートに示す。
ステップＳ２１では、室内機２側からの給電停止を行う旨の信号を受信したか否かを判別する。室内ユニット制御部２０１から給電停止を行う旨の信号を受信した場合にはステップＳ２２に移行する。
【００３６】
ステップＳ２２では、室内機２側からの要求に応じて、運転状態情報を室内機２側に送信する。ここでは、ＲＡＭ３０４に保持している室外運転情報を室内ユニット制御部２０１に送信する。この後、室内ユニット制御部２０１による給電停止処理により電源供給が絶たれるので、室外ユニット制御部３０１は動作を停止する。
【００３７】
室内機２側からの給電が再開されると、図７ステップＳ３１において、室外ユニット制御部３０１では各部の初期化を実行する。
ステップＳ３２では、室内ユニット制御部２０１から送信される給電停止直前の室外運転情報を受信する。
ステップＳ３３では、室内ユニット制御部２０１から送信されてきた給電停止直前の室外運転情報をＲＡＭ３０４に格納する。
【００３８】
ステップＳ３４では、通常運転を再開する。
以上のように構成した空気調和機では、室外機３における異常が発生して室外機３への給電を一旦停止するような場合に、給電停止直前の室外ユニット制御部３０１で管理する運転状態に関する情報を室内ユニット制御部２０１のＲＡＭ２０４またはその他の記録媒体に待避させているため、給電復帰した際に待避させた室外運転情報を用いて、給電停止直前の使用状態を再現することができる。また、待機電力削減のために室外機３への給電を停止する場合にも、同様にして給電停止直前の使用状態を再現することが可能となる。しかも、室外機３内にＥＥＰＲＯＭなどの不揮発性メモリを追加することなく、給電停止直前の室外運転情報を待避させることができるため、装置のコストアップを招くことがない。
【００３９】
また、室外機側に関係する情報判断はできるだけ室外機３だけで完結させ、室内機側に関係する情報判断はできるだけ室内機２だけで完結させるようにして、室外機３および室内機２を別々に開発できるように構成できる。この場合、室内機と室外機のモデルチェンジを異なる時期に行うことが比較的容易になり、開発時期の自由度が増すという効果がある。
【００４０】
【発明の効果】
本発明の請求項１に係る空気調和機では、待機電力削減のための給電停止を行う場合や室外空調部の異常発生に伴って室外機への給電停止を行う場合に、室外状態情報格納手段に保持している給電停止直前の室外運転情報を室内情報格納手段に格納して、室外運転情報が消失することを防止できる。
【００４１】
本発明の請求項２に係る空気調和機では、給電復帰時に室内状態情報格納手段に格納された給電停止直前の室外運転情報を用いて、給電停止直前の運転状態を再現することが可能となる。
本発明の請求項３に係る空気調和機の室内機では、待機電力削減のための給電停止を行う場合や室外空調部の異常発生に伴って室外機への給電停止を行う場合に、給電停止直前の室外運転情報を室内情報格納手段に格納して、室外運転情報が消失することを防止できる。
【００４２】
本発明の請求項４に係る空気調和機の室内機では、給電復帰時に室内状態情報格納手段に格納された給電停止直前の室外運転情報を室外機に送信し、給電停止直前の運転状態を再現することが可能となる。
本発明の請求項５に係る空気調和機の室外機では、待機電力削減や室外空調部の異常発生などがあった場合に、給電停止直前の室外運転情報を室内機側に送信することにより、室外運転情報を保存することができる。
本発明の請求項６に係る空気調和機の室外機では、給電復帰時に給電停止直前の室外運転情報を室内機から受信して、給電停止直前の運転状態を再現することが可能となる。
【図面の簡単な説明】
【図１】空気調和機の外観構成を示す斜視図。
【図２】冷媒回路の説明図。
【図３】電気配線図。
【図４】制御ブロック図。
【図５】室内ユニット制御部の制御フローチャート。
【図６】室外ユニット制御部の制御フローチャート。
【図７】室外ユニット制御部の制御フローチャート。
【符号の説明】
２０１  室内ユニット制御部
２０４  ＲＡＭ
３０１  室外ユニット制御部
３０４  ＲＡＭ
【図１】
0003555606.tif 000002
【図２】
0003555606.tif 000003
【図３】
0003555606.tif 000004
【図４】
0003555606.tif 000005
【図５】
0003555606.tif 000006
【図６】
0003555606.tif 000007
【図７】
0003555606.tif 000008